(57)【要約】【課題】  本発明は、耐久性と装飾性を兼ね備えるとともに、製造工程を簡略化できる耳用装身具を提供することにある。【解決手段】  耳を挟む開閉部１と、宝石などの装飾物４や耳１８に対する緩衝部材５を取り付ける他部材取付部６，７とを備える耳用装身具であって、開閉部１は、保持部材２と、押さえ部材３とを有しており、保持部材２は、他部材取付部６，７と、軸受部８を有しており、押さえ部材３は、軸支部１２を有し、軸支部１２が保持部材２の軸受部８に開閉可能に軸支されており、保持部材２と押さえ部材３のいずれか一方または両方には、他方のものに付勢力を付与して任意の開閉位置に留める付勢部１３が設けてあり、他部材取付部６，７と付勢部１３は、開閉部１に一体成形されていることを特徴とする。【選択図】      図１
2016043109.tif 000002
【特許請求の範囲】
【請求項１】
耳を挟む開閉部と、宝石などの装飾物や耳に対する緩衝部材を取り付ける他部材取付部とを備える耳用装身具であって、
開閉部は、保持部材と、押さえ部材とを有しており、
保持部材は、他部材取付部と、軸受部を有しており、
押さえ部材は、軸支部を有し、軸支部が保持部材の軸受部に開閉可能に軸支されており、
保持部材と押さえ部材のいずれか一方または両方には、他方のものに付勢力を付与して任意の開閉位置に留める付勢部が設けてあり、
他部材取付部と付勢部は、開閉部に一体成形されていることを特徴とする耳用装身具。
【請求項２】
他部材取付部と軸支部は、開閉部とは相違する方向に捩じられて配置してあることを特徴とする請求項１記載の耳用装身具。
【請求項３】
付勢部は、保持部材と押さえ部材のいずれか一方または両方に、他方のものに向けて突出する一体的な突状をなしており、  
軸支部を軸受部に軸支したときに、付勢部の突状の先端部が他方のものを押圧して付勢力を付与することを特徴とする請求項１又は２記載の耳用装身具。
【発明の詳細な説明】
【技術分野】
【０００１】
本発明は、イアリングやピアスなどに代表される耳用装身具に関するものである。
【背景技術】
【０００２】
イアリングやピアスは、耳に装着する装身具として広く知られている。また、耳用の装身具の一般的な構造は、耳たぶの外周を保持する保持部材と、その保持部材の外周部に設けてあるとともに宝石等の装飾物を固定する他部材取付部とから開閉部が構成されている。
【先行技術文献】
【特許文献】
【０００３】
【特許文献１】特開２００４−９７５３１号公報
【発明の概要】
【発明が解決しようとする課題】
【０００４】
上記のような耳用装身具にあっては、開閉部を構成する保持部材や押さえ部材により耳たぶの外周を保持する方向と、他部材取付部により装飾物を固定する向きとが相違していることから、開閉部と他部材取付部とが別の部材で構成してあり、それぞれをろう付けするものであった。このことから、耳用装身具の装着を繰り返すにうちに、装飾物の荷重や外的な衝撃によって他部材取付部と開閉部とのろう付けした箇所に応力が集中し、他部材取付部が破損する事例や、あるいは、装飾物が他部材取付部から外れてしまう問題点があった。さらに、耳用装身具の製造の際には、開閉部を構成する保持部材、押さえ部材の他、非常に微細な他部材取付部を別途製造し、さらに、部品点数の増加により在庫を抱えることから、加工手間も含めて製造コストが増大する問題点があった。
【０００５】
本発明は、上記課題を鑑みてなされたものであり、耐久性と装飾性を兼ね備えるとともに、製造工程を簡略化できる耳用装身具を提供することにある。
【課題を解決するための手段】
【０００６】
本発明のうち請求項１記載の発明は、耳を挟む開閉部と、宝石などの装飾物や耳に対する緩衝部材を取り付ける他部材取付部とを備える耳用装身具であって、開閉部は、保持部材と、押さえ部材とを有しており、保持部材は、他部材取付部と、軸受部を有しており、押さえ部材は、軸支部を有し、軸支部が保持部材の軸受部に開閉可能に軸支されており、保持部材と押さえ部材のいずれか一方または両方には、他方のものに付勢力を付与して任意の開閉位置に留める付勢部が設けてあり、他部材取付部と付勢部は、開閉部に一体成形されていることを特徴とする。
【０００７】
本発明のうち請求項２記載の発明は、他部材取付部と軸支部は、開閉部とは相違する方向に捩じられて配置してあることを特徴とする。
【０００８】
本発明のうち請求項３記載の発明は、付勢部は、保持部材と押さえ部材のいずれか一方または両方に、他方のものに向けて突出する一体的な突状をなしており、軸支部を軸受部に軸支したときに、付勢部の突状の先端部が他方のものを押圧して付勢力を付与することを特徴とする。
【発明の効果】
【０００９】
本発明の請求項１記載の発明によれば、開閉部と他部材取付部が一つの部材から一体的に成形されることにより、耐久性が向上する。これにより、経年使用によるガタツキがなく、耳用装身具の装着時に加わる衝撃や振動で他部材取付部が変形、破損しにくくなり、使用者が安心して装着することができる。さらに、開閉部と他部材取付部を一体成形することにより、耳用装身具を構成する部品点数が減ることから、製造の簡略化や省コスト化、さらには、在庫点数の減少を図ることができ、したがって、製造者側も効果を享受することができる。
【００１０】
本発明の請求項２記載の発明によれば、開閉部と一体的に成形された他部材取付部と軸支部を、開閉部とはほぼ直交するように捩じって形成することにより剛性が高まり、他部材取付部及び軸支部と開閉部との連結部分が側方からの外力に対して強くなる。
【００１１】
本発明の請求項３記載の発明によれば、保持部材に開閉自在な開閉部を開く方向に付勢する付勢部が、保持部材と押さえ部材のいずれか一方、または両方と一体的に形成されている。これにより、付勢部は、耳用装身具の装着時、あるいは、開閉部の開閉操作のときに保持部材と押さえ部材との間で最も接触する箇所となることから、開閉部と一体成形されることで、繰り返しの使用による開閉部からの付勢部の離脱やズレが解消される。したがって、付勢部が安定して確実に押さえ部材または保持部材に付勢力を働かせて機能することになる。
【図面の簡単な説明】
【００１２】
【図１】本実施による耳用装身具を示す装着時を基準とした正面図である。
【図２】本実施による耳用装身具を示す装着時を基準とした側面図である。
【図３】（ａ）乃至（ｃ）は、本実施による保持部材の成形の手順を示す斜視図である。
【図４】本実施による押さえ部材の（ａ）は、加工前の部材を示す装着時を基準とした側面図であり、（ｂ）は、加工途中の状態を示す装着時を基準とした側面図である。
【図５】本実施による耳用装身具の押さえ部材の開閉時の作動状態を示すものであり、（ａ）は、未装着時を示す装着時を基準とした正面図であり、（ｂ）（ｃ）は、押さえ部材を開閉したときの付勢部の状態を示す拡大した装着時を基準とした側面図である。
【図６】本発明の耳用装身具の他の実施形態を示す（ａ）は、全体を示す正面図であり、（ｂ）は、保持部材の加工前の状態を示す側面図であり、（ｃ）は、加工後の状態を示す側面図である。
【図７】（ａ）（ｂ）（ｃ）（ｄ）は、本発明の耳用装身具の他の実施形態を示す押さえ部材の付勢部と保持部材の受部を示す簡略化した拡大図である。
【発明を実施するための形態】
【００１３】
以下に、図面に基づいて本実施による耳用装身具について説明する。
本実施による耳用装身具は、図１と図２のように、開閉部１を構成する保持部材２及び押さえ部材３と、宝石等の装飾物４と、緩衝部材５から構成してある。開閉部１を構成するうちの保持部材２は、ほぼＵ字状をなしており、一つ金属部材から下記する各部位が成形されている。保持部材２のＵ字の長手方向の一方側端部は、肉厚の薄い他部材取付部６，７が一体的に成形されている。他部材取付部６，７は、ほぼ円形状をなす装飾物４を取り付けるもの（符号６）と、中央に保持孔の貫通した緩衝部材５を取り付けるもの（符号７）とが保持部材２の延長する方向と直交する方向にそれぞれが突出するかたちで設けてある。また、保持部材２のＵ字の長手方向の他方側端部には、押さえ部材３を軸支する軸受部８が設けてある。上記の軸受部８には、軸通し孔９が軸受部８を貫通して設けてあり、その軸通し孔９には、押さえ部材３を一緒に連通するリベット１０が挿通される。さらに、保持部材２の軸通し孔９の近傍には、長穴状に形成された付勢部受溝（受部）１１が、軸受部８の両側部にそれぞれ設けてある。
【００１４】
保持部材２は、他部材取付部６，７を直交する向きに設けるとき、図３（ａ）乃至（ｃ）の手順で成形される。第一の手順として、図３（ａ）のように、保持部材２の他部材取付部６，７をそれぞれほぼ９０°捩じり、図３（ｂ）のように、各他部材取付部６，７が保持部材２に対してほぼ水平に配置されるようにする。第二の手順として、図３（ｃ）のように、上記の手順でほぼ水平に配置された各他部材取付部６，７をほぼ垂直に曲げて起立させ、それぞれが耳１８の内外に向く他部材取付部６，７を形成する。
これにより、各他部材取付部６，７は、捩じりにより支持強度が高まり、装飾物４や緩衝部材５を取り付けたときの耐久性が向上する。
【００１５】
押さえ部材３は、図４（ａ）（ｂ）のように、肉厚の薄い一枚の金属板を型抜きして形成したものである。また、上記のように型抜きされた押さえ部材３は、ほぼＶ字型をなしており、そのＶ字の両端部には、保持部材２の軸受部８とリベット１０で軸支される軸支部１２を有している。また、押さえ部材３のＶ字のコーナー部分は、ほぼＣ字状をなしており、そのＣ字状の内周部には緩衝部材５を嵌合できる。そして、押さえ部材３に緩衝部材５を嵌合するときには、プレス成形により両側に有する各軸支部１２，１２を近接してコーナー部分の径を狭め、その内周部に緩衝部材５を締め付けて取り付ける。また、軸支部１２には上記した保持部材２の軸受部８と同様に貫通した軸通し孔９が設けてあり、軸通し孔９には、保持部材２側の軸通し孔９と一緒にリベット１０が連通される。さらに、各軸支部１２の軸通し孔９の近傍には、他方の軸受部８側に突出する凸状をなす付勢部１３，１３がそれぞれ設けてある。また、本実施による付勢部１３は、図２を参照すれば、突状をなしており、軸支部１２の一側面側からパンチング加工して他側に突出させている。さらに、２つの付勢部１３は、各軸支部１２が対面する位置に配置される。また、各付勢部１３，１３は、保持部材２と押さえ部材３をリベット１０で軸支したときに、図５（ａ）のように、付勢部１３の先端が上記した保持部材２の付勢部受溝１１に入り込んで摺動する。このときに、押さえ部材３の開閉に伴って摺動した付勢部１３の先端が付勢部受溝１１に対して付勢力を付与し、押さえ部材３を任意の回動角度で位置決めできる。また、リベット１０を通した保持部材２と押さえ部材３の間には、弾性部材１４が介在している。この弾性部材１４の介在により、図５（ｂ）のように、押さえ部材３の閉塞時または開放時に、付勢部１３が付勢部受溝１１を乗り越えようとしたときに、軸支部１２が外側に拡がろうとする。このときに、図５（ｃ）のように、弾性部材１４が両側の軸支部１２，１２の拡がりを受け入れて吸収し、付勢部１３が通過した後は、弾性部材１４の復帰によって各軸支部１２が元の位置に戻る。これにより、押さえ部材３を開閉したときに、押さえ部材３に対しては常に付勢力を付与するとともに、軸支部１２の間の間隔は、弾性部材１４の介在によって開閉時もほぼ一定に保たれることから、押さえ部材３に無理な負荷をかけることなく所定の回動角度位置で装着することができる。
【００１６】
緩衝部材５は、図１と図２を参照すれば、シリコン等の弾性を有する比較的柔らかい素材で成形されている。また、緩衝部材５の構成部位のうち、耳１８に当たる箇所と他端側部がそれぞれ膨らんで形成してあり、その中間部は、凹状にくびれている。このくびれた部分には、上記した保持部材２と押さえ部材３のそれぞれに設けてある他部材取付部６，７が嵌り込むことにより、緩衝部材５が本実施による耳用装身具の装着時に、耳１８を強く挟むことなく、さらには緩衝部材５を不意な力では外れない程度の力で取り付けておくことができる。
【００１７】
図６（ａ）乃至（ｃ）のものは、本発明の他の実施形態の耳用装身具を示すものである。
この耳用装身具は、保持部材２の一端部側に緩衝部材５を取り付ける他部材取付部７のみが一体成形されたものである。他部材取付部７のみが一体成形されるものでは、図６（ｂ）のように、保持部材２の一端部側にリング状をなす他部材取付部７が保持部材２の長手方向とほぼ同一方向に延出するかたちとなる。上記の他部材取付部７を保持部材２から捩じり加工を施すことにより、図６（ｃ）のように、緩衝部材５を耳側に向けて取り付けることができる。そして、保持部材２の軸受部８と、押さえ部材３の軸支部１２のそれぞれの軸通し孔９にリベット１０を通してかしめ、保持部材２と押さえ部材３を開閉自在に軸支することにより、本実施による耳用装身具が構成される。
【００１８】
また、付勢部１３は、上記した軸支部１２の一側面側から突出する突状のものの他、図７（ａ）（ｂ）のように、軸支部１２の一部を切り起こして軸受部８側に突出させ、押さえ部材３の開閉時に付勢力を付与する者であってもよい。さらに、図７（ｃ）（ｄ）のように、付勢部１３の受部１１を窪んだ円形状に形成し、その内周部の複数箇所に凹凸部１５を設け、突状に形成された付勢部１３を受け入れる構造としてもよい。
【００１９】
本発明の耳用装身具は、上記の各実施形態で開示した装飾物４と緩衝部材５の他部材取付部６，７と保持部材２が一つの素材から一体的に成形してあるもの、一つの他部材取付部６，７のみが保持部材２と一体成形されたものであってよい。さらに、他部材取付部６，７の形状や大きさについては限定するものではない。また、保持部材２と押さえ部材３の付勢部１３と受部１１のそれぞれの形状については、本発明による耳用装身具の装着時に押さえ部材３を閉塞したとき、付勢部１３で受部１１に付勢力を付与し、押さえ部材３の回動角度を任意の位置で維持できるものであれば特に限定しない。さらに、保持部材２と押さえ部材３を軸支する手段についてもリベット１０に限定しない。そして、上記のリベット１０のような別の軸部材を用いず、保持部材２と押さえ部材３のいずれか一方に一体成形された軸部を設け、他方には上記軸部の軸受穴を一体成形したものでもよい。このように形成しても押さえ部材３を保持部材２に開閉自在に軸支できる。
【符号の説明】
【００２０】
１  開閉部
２  保持部材
３  押さえ部材
４  装飾物
５  緩衝部材
６，７  他部材取付部
８  軸受部
９  軸通し孔
１０  リベット
１１  付勢部受溝（受部）
１２  軸支部
１３  付勢部
１４  弾性部材
１５  凹凸部
１８  耳
【図１】
2016043109.tif 000003
【図２】
2016043109.tif 000004
【図３】
2016043109.tif 000005
【図４】
2016043109.tif 000006
【図５】
2016043109.tif 000007
【図６】
2016043109.tif 000008
【図７】
2016043109.tif 000009